(57)【要約】【課題】  エンジンに供給する燃料に酸素を含む気泡を混入させる場合に、気泡中の酸素によって燃料酸化物が生成されることを抑制可能な、さらにはエンジンの運転状態が悪化することを防止可能な、或いは燃料ポンプの摺動不良等が発生することを防止可能なエンジンの燃料供給システムを提供する。【解決手段】  エンジンの燃料供給システム１００Ａは、エンジン５０に供給する燃料に気泡を混入させるミキサ７６と、気泡が混入された燃料を所望の圧力に加圧する燃料ポンプ７４と、酸素を含み、気泡を組成する気体として適用された空気の酸素濃度を低下させる酸素濃度低下手段７９とを備える。所望の圧力は、基本的に気泡が混入された燃料を一度の断熱圧縮で加圧した場合に燃料中に燃料酸化物が生成される圧力となっている。【選択図】  図１
2010112271.tif 000002
【特許請求の範囲】
【請求項１】
エンジンに供給する燃料に気泡を混入させる気泡混入手段と、
前記気泡が混入された燃料を所望の圧力に加圧する加圧手段と、
酸素を含み、前記気泡を組成する気体の酸素濃度を低下させる酸素濃度低下手段とを備えることを特徴とするエンジンの燃料供給システム。
【請求項２】
請求項１記載のエンジンの燃料供給システムであって、
前記気泡を組成する気体の燃料への混入量に応じて、燃料噴射制御を行う燃料噴射制御手段をさらに備えることを特徴とするエンジンの燃料供給システム。
【請求項３】
請求項１または２記載のエンジンの燃料供給システムであって、
燃料に含まれる異物を除去する異物除去手段を前記加圧手段の下流側にさらに備えることを特徴とするエンジンの燃料供給システム。
【請求項４】
請求項１から３いずれか１項記載のエンジンの燃料供給システムであって、
前記気泡が混入された燃料を一度の断熱圧縮で加圧した場合に燃料中に燃料酸化物が生成される圧力が、前記所望の圧力に含まれることを特徴とするエンジンの燃料供給システム。
【発明の詳細な説明】
【技術分野】
【０００１】
本発明はエンジンの燃料供給システムに関し、特にエンジンに供給する燃料に気泡を混入させるエンジンの燃料供給システムに関する。
【背景技術】
【０００２】
従来、エンジンに供給する燃料に気泡を混入させる技術が知られている。気泡を混入させた燃料を噴射すると、噴射の際に生じる圧力低下で混入した気泡が急激に成長し、燃料の液膜を破壊する。このため燃料に気泡を混入させた場合、例えばこれによって噴射した燃料噴霧の微粒化を促進することができる。この点、エンジンに供給する燃料に気泡を混入させる技術として、本発明と関連性があると考えられる技術が例えば特許文献１から３までで提案されている。このほかエンジンに燃料を供給するにあたって、燃料を加圧する手段の下流側（吐出側）にフィルタを備えている点で、本発明と関連性があると考えられる技術が例えば特許文献４で提案されている。また混合燃料の燃料噴射制御という観点から、本発明と関連性があると考えられる技術が例えば特許文献５で提案されている。
【０００３】
【特許文献１】特開昭６３−４５４５６号公報
【特許文献２】特開２００６−２２６２２７号公報
【特許文献３】特開２００７−１７０２９５号公報
【特許文献４】特開平１１−７２０５２号公報
【特許文献５】特開２００４−３４６８６１号公報
【発明の開示】
【発明が解決しようとする課題】
【０００４】
ところで、気泡を混入させた燃料を噴射するにあたっては、燃料を高圧にする必要がある。ところが、気泡が酸素を含む場合、気泡を混入させた燃料が高圧になると、燃料中に燃料酸化物（例えばカーボンブラック）が生成されることがある。燃料酸化物は、具体的には例えば気泡を混入させた燃料を高圧ポンプで高圧にする際の断熱圧縮で、気泡中の酸素が燃料を酸化することによって生成される。この点、燃料中に燃料酸化物が生成されると、生成された燃料酸化物によって燃料噴射弁に詰まりや摺動不良が発生する虞がある点で問題があった。
【０００５】
また燃料に気泡を混入させた場合には、燃料の容積に気泡を組成する気体（以下、ガスとも称す）の容積が含まれるようになることから、実際の燃料噴射量に過不足が発生し、この結果、エンジン出力が不安定になるなど、エンジンの運転状態が悪化する虞がある点で問題があった。
またエンジンに燃料を供給するにあたっては、燃料フィルタなどの異物除去手段を備えることが一般的である。ところが、気泡が混入された燃料がそのまま異物除去手段を流通するようにした場合には、流通の際に気泡同士が合体してより大きな気泡に生成されてしまうことがある。そしてこの場合には、いわゆるエアの噛み込みと同様な状態が燃料に発生することになってしまい、この結果、燃料ポンプの摺動不良およびこれに応じたエンジンの運転状態の悪化や、摺動不良による燃料ポンプの破損等が発生する虞がある点で問題があった。
【０００６】
そこで本発明は上記課題に鑑みてなされたものであり、エンジンに供給する燃料に酸素を含む気泡を混入させる場合に、気泡中の酸素によって燃料酸化物が生成されることを抑制可能な、さらにはエンジンの運転状態が悪化することを防止可能な、或いは燃料ポンプの摺動不良等が発生することを防止可能なエンジンの燃料供給システムを提供することを目的とする。
【課題を解決するための手段】
【０００７】
上記課題を解決するための本発明のエンジンの燃料供給システムは、エンジンに供給する燃料に気泡を混入させる気泡混入手段と、前記気泡が混入された燃料を所望の圧力に加圧する加圧手段と、酸素を含み、前記気泡を組成する気体の酸素濃度を低下させる酸素濃度低下手段とを備えることを特徴とする。
【０００８】
また本発明は前記気泡を組成する気体の燃料への混入量に応じて、燃料噴射制御を行う燃料噴射制御手段をさらに備える構成であってもよい。
【０００９】
また本発明は燃料に含まれる異物を除去する異物除去手段を前記加圧手段の下流側にさらに備える構成であってもよい。
【００１０】
また本発明は前記気泡が混入された燃料を前記加圧手段が断熱圧縮で加圧した場合に燃料中に燃料酸化物が生成される圧力が、前記所望の圧力に含まれる構成であってもよい。
【発明の効果】
【００１１】
本発明によればエンジンに供給する燃料に酸素を含む気泡を混入させる場合に、気泡中の酸素によって燃料酸化物が生成されることを抑制することができる。また本発明によれば、さらにはエンジンの運転状態が悪化することを防止することができ、或いは燃料ポンプの摺動不良等が発生することを防止することができる。
【発明を実施するための最良の形態】
【００１２】
以下、本発明を実施するための最良の形態を図面と共に詳細に説明する。
【実施例１】
【００１３】
図１は、本実施例にかかるエンジンの燃料供給システム（以下、単に燃料供給システムと称す）１００Ａをエンジン５０など関連する他の構成とともに模式的に示す図である。吸気系１０は、エアフロメータ１１と、インタークーラ１２と、ディーゼルスロットル１３と、インテークマニホールド１４とを有して構成されている。エアフロメータ１１はエアフロセンサと大気温センサとを有して構成されており、吸入空気量を計測するとともに計測した吸入空気量に応じた信号を出力する。インタークーラ１２は過給機３０によって圧縮された吸気を冷却する。ディーゼルスロットル１３はＥＣＵ１Ａの制御のもと、図示しないアクチュエータによって開閉駆動し、吸入空気量を調節する。インテークマニホールド１４はエンジン５０の各気筒に吸気を分配する。
【００１４】
排気系２０はエキゾーストマニホールド２１と触媒２２とを有して構成されている。エキゾーストマニホールド２１は、各気筒からの排気を下流側で一つの排気通路に合流させる。触媒２２はＮＯｘ吸蔵還元型触媒であり、触媒２２ではＰＭを捕捉可能なフィルタにＮＯｘを吸蔵可能な触媒が担持されている。触媒２２は、流入する排気の酸素濃度が高いとき、すなわち排気の空燃比が高いときには排気中のＮＯｘを吸蔵する。一方、触媒２２は、流入する排気の酸素濃度が低下し、且つ還元剤が存在するときには吸蔵していたＮＯｘを放出しつつ、Ｎ２に還元する。
【００１５】
過給機３０は可変容量型ターボチャージャであり、コンプレッサ部３１とタービン部３２とを有して構成されている。過給機３０は、図示しないコンプレッサホイールを収納するコンプレッサ部３１が吸気系１０に、図示しないタービンホイール３２を収納するタービン部３２が排気系２０に、夫々介在するようにして配設されている。コンプレッサホイールとタービンホイールとは回転軸で連結されており、タービンホイールが排気によって駆動されると、回転軸を介してコンプレッサホイールが駆動し吸気を圧縮する。
【００１６】
エンジン５０はディーゼルエンジンであり、エンジン５０にはクランク角センサや水温センサなどの各種のセンサ（図示省略）が配設されている。
エンジン５０は各気筒５１に直接燃料を噴射する燃料噴射弁７１を備えている。各燃料噴射弁７１は燃料を所定圧まで蓄圧する蓄圧室（コモンレール）７２と接続されている。コモンレール７２は燃料供給管７３を介して燃料ポンプ７４に連通している。また、燃料ポンプ７４は燃料供給管７３を介して燃料タンク７５に連通している。燃料ポンプ７４は燃料を断熱圧縮で加圧し、これにより燃料が高圧になる。なお、断熱圧縮とは厳密な断熱を要求するものではなく、圧縮動作が素早く、このときの受熱、放熱が小さいがために近似的に断熱圧縮とみなせるものを含むものである。この点、一度のかかる断熱圧縮で酸素を含む気泡が混入された燃料を加圧して高圧にした場合には、圧力上昇率の高い急速な圧縮で燃料が高温化し、この結果、燃料酸化物が生成されることになる。
【００１７】
エンジン５０に供給する燃料は燃料タンク７５に貯留されている。燃料タンク７５に貯留された燃料は、燃料ポンプ７４によって加圧された上で吐出される。燃料ポンプ７４から吐出された燃料はコモンレール７２へと供給され、コモンレール７２で所定圧まで蓄圧された上で各燃料噴射弁７１へ分配される。そして、燃料噴射弁７１に駆動電流が印加されると、燃料噴射弁７１が開弁し、これにより燃料噴射弁７１から気筒５１内へ燃料が噴射される。
【００１８】
ミキサ（気泡混入手段に相当）７６は、燃料に気泡を混入させるための構成であり、本実施例では具体的には燃料ポンプ７４および燃料タンク７５間の燃料供給管７３に介在させるようにして設けられている。本実施例では、ミキサ７６によって気泡が混入された燃料を加圧する燃料ポンプ７４が加圧手段に相当する構成となっている。なお、ミキサ７６は加圧手段よりも上流側に設けられていればよく、例えば燃料タンク７５に設けられていてもよい。
【００１９】
図２はミキサ７６の構成を模式的に示す図である。ミキサ７６は本体部７６ａと、導出口７６ｂと、燃料供給路７６ｃと、ガス供給路７６ｄとを有して構成されている。本体部７６ａが形成する内部空間７６ｅは円錐状の空間として形成されており、燃料供給路７６ｃは内部空間７６ｅの円錐を形成する円の接線方向に開口している。ガス供給路７６ｄは円錐状の内部空間７６ｅの底面側中央に開口しており、内部空間７６ｅの頂部側中央には導出口７６ｂが開口している。ガス供給路７６ｄにはガス供給管７７に接続され、ガスが供給される。燃料に混入させる気泡を組成するガスとして、本実施例では具体的には空気が適用されている。
【００２０】
燃料供給路７６ｃから燃料を供給すると、内部空間７６ｅで旋回流が発生する。これにより内部空間７６ｅの底部近傍に負圧が発生し、ガス供給路７６ｄからガスが流入する。流入してきたガスは内部空間７６ｅを燃料とともに旋回しながら頂部方向に進み、燃料に混入される。この際、流入してきたガスは頂部方向に進むにつれて縮径且つ伸長され、この結果、マイクロバブルまたはナノバブルといった微小気泡に形成される。微小気泡となったガスは燃料に混入された状態で導出口７６ｂから燃料供給管７３へと流出する。
【００２１】
ガス供給管７７はその一端が前述の通りミキサ７６のガス供給路７６ｄに接続されている。ガス供給管７７には流量調整弁７８が設けられており、ミキサ７６に供給するガスの量は流量調整弁７８によって調整される。
ガス供給管７７には、さらに酸素濃度低下手段７９が設けられている。酸素濃度低下手段７９は、本実施例では具体的にはガス供給管７７のうち、流量調整弁７８よりも上流側の部分に介在させるようにして設けられている。
【００２２】
酸素濃度低下手段７９は燃料に混入させる気泡を組成する気体の酸素濃度を低下させるための構成であり、具体的には例えばガス分離膜で実現することができる。この点、ガスとして空気を適用する本実施例では、酸素濃度低下手段７９が窒素富化膜で実現されている。酸素濃度低下手段７９は、供給されたガスを窒素濃度の高いガスと低いガスとに分離する。そしてここでは供給されたガスが空気であることから、元のガスと比較して窒素濃度の高いガスは同時に酸素濃度の低いガスとなり、窒素濃度の低いガスは同時に酸素濃度の高いガスとなる。酸素濃度低下手段７９によって分離されたガスのうち、窒素濃度の高いガスは、ガス供給管７７を介してミキサ７６に供給され、窒素濃度の低いガスは排気として酸素濃度低下手段７９から排出される。
【００２３】
ＥＣＵ１Ａは、図示しないＣＰＵ、ＲＯＭ、ＲＡＭ等からなるマイクロコンピュータと入出力回路などを有して構成されている。ＥＣＵ１Ａは主にエンジン５０を制御するように構成されており、本実施例では具体的には燃料噴射弁７１や、燃料ポンプ７４のほか、ディーゼルスロットル１３や、流量調整弁７８などを制御するように構成されている。これら制御対象はＥＣＵ１Ａに電気的に接続されている。またＥＣＵ１Ａにはエアフロメータ１１や、クランク角センサや、水温センサなどの各種のセンサが電気的に接続されている。ＲＯＭはＣＰＵが実行する種々の処理が記述されたプログラムやマップデータなどを格納するための構成である。ＣＰＵがＲＯＭに格納されたプログラムに基づき、必要に応じてＲＡＭの一時記憶領域を利用しつつ処理を実行することで、ＥＣＵ１Ａでは各種の制御手段や判定手段や検出手段や算出手段などが機能的に実現される。
【００２４】
この点、本実施例では特に以下に示す流量制御手段と圧力制御手段とがＥＣＵ１Ａで機能的に実現される。
流量制御手段はエンジン５０の運転状態に応じて、ガスをミキサ７６（燃料）に供給するように流量調整弁７８を制御する。具体的にはエンジン５０の運転状態がガスの供給が必要な運転状態であるか否かを判定するとともに、ガスの供給が必要な運転状態である場合に、ガスを燃料に供給するように流量調整弁７８を制御する。またガスを燃料に供給するにあたり、流量制御手段はエンジン５０の運転状態に応じて、燃料に混入させるのに必要なガスの量を算出するとともに、必要なガスの量に応じた開度になるように流量調整弁７８を制御する。
圧力制御手段は気泡が混入された燃料を加圧するにあたり、エンジン５０の運転状態に応じて、燃料を所望の圧力に加圧するように燃料ポンプ７４を制御する。
【００２５】
本実施例では燃料噴射弁７１とコモンレール７２と燃料供給配管７３と燃料ポンプ７４と燃料タンク７５とミキサ７６とガス供給管７７と流量調整弁７８と酸素濃度低下手段７９とを有して燃料供給装置７０Ａが実現されている。また本実施例ではＥＣＵ１Ａで燃料供給装置の制御装置が、燃料供給装置７０ＡとＥＣＵ１Ａとでエンジンの燃料供給システム１００Ａがそれぞれ実現されている。
【００２６】
次にＥＣＵ１Ａの動作を図３に示すフローチャートを用いて説明する。ＥＣＵ１Ａでは、図３のフローチャートに示す処理がごく短い時間間隔で繰り返し実行される。ＥＣＵ１Ａはエンジン５０の運転状態が、ガスの供給が必要な運転状態であるか否か（ガス供給必要であるか否か）を判定する（ステップＳ１１）。ガスの供給状態が必要な運転状態は、例えばエンジン５０の運転状態（例えば回転数ＮＥおよび負荷）に応じてマップデータで予め設定することができる。そしてエンジン５０の運転状態に基づき、ＲＯＭに予め格納したこのマップデータを参照することで、ガスの供給が必要な運転状態であるか否かを判定することができる。ステップＳ１１で否定判定であれば、ＥＣＵ１Ａは必要なガスの量に応じた開度になるように流量調整弁７８を制御する（ステップＳ１３）。この点、ステップＳ１１で否定判定された場合には、ステップＳ１３で流量調整弁７８は閉弁されることになる。
【００２７】
一方、ステップＳ１１で肯定判定であれば、ＥＣＵ１Ａはエンジン５０の運転状態に応じて、燃料に混入させるのに必要なガスの量の算出（混入ガス量の算出）をする（ステップＳ１２）。燃料に混入させるのに必要なガスの量は、例えばエンジン５０の運転状態（例えば回転数ＮＥおよび負荷）に応じてマップデータで予め設定することができる。そしてエンジン５０の運転状態に基づき、ＲＯＭに予め格納したこのマップデータを参照することで、必要なガスの量を算出できる。
必要なガスの量は、例えば燃料噴霧の微粒化効果の観点から、燃料に混入させることが可能な最大の量とすることができる。また必要なガスの量はこのほか、例えば所望の燃料噴霧の微粒化効果を得ることが可能な量とすることもできる。そして必要なガスの量はエンジン５０の運転状態に応じて例えばこのような異なる観点で異なる量に設定することもできる。
【００２８】
ステップＳ１２に続いて、ＥＣＵ１Ａは必要なガスの量に応じた開度になるように流量調整弁７８を制御する（ステップＳ１３）。必要なガスの量に応じた開度は、例えば必要なガスの量に対応させて予めマップデータで設定することができる。そして算出した必要なガスの量に基づき、予めＲＯＭに格納したこのマップデータを参照することで、必要なガスの量に応じた開度になるように流量調整弁７８を制御することができる。
【００２９】
また、ＥＣＵ１Ａは燃料を所望の圧力に加圧するように燃料ポンプ７４を制御する（ステップＳ１４）。所望の圧力は、例えばエンジン５０の運転状態（例えば回転数ＮＥおよび負荷）に応じてマップデータで予め設定することができる。そしてエンジン５０の運転状態に基づき、ＲＯＭに予め格納したこのマップデータを参照することで、所望の圧力を把握することができる。本実施例ではマップデータに予め設定された所望の圧力は、基本的に気泡が混入された燃料を一度の断熱圧縮で加圧した場合に燃料中に燃料酸化物が生成される圧力となっている。
【００３０】
燃料供給システム１００Ａでは、このようにしてミキサ７６（燃料）にガスが供給されるところ、このときガスは酸素濃度低下手段７９によってその酸素濃度が低下する。このため燃料供給システム１００Ａは、これにより元のガス（ここでは空気）をそのまま供給した場合と比較して、燃料ポンプ７４の断熱圧縮で生成される燃料酸化物を低減することができ、以って気泡中の酸素によって燃料酸化物が生成されることを抑制することができる。
【実施例２】
【００３１】
図４は本実施例に係る燃料供給システム１００Ｂをエンジン５０など関連する他の構成とともに模式的に示す図である。本実施例に係る燃料供給システム１００Ｂは、燃料供給装置７０Ａの代わりに燃料供給装置７０Ｂを備えている点以外、燃料供給システム１００Ａと実質的に同一のものとなっている。また燃料供給装置７０Ｂは、排気供給管８０をさらに備えている点以外、燃料供給装置７０Ａと実質的に同一のものとなっている。
排気供給管８０は、酸素濃度低下手段７９の排気を供給するための構成であり、本実施例では具体的には吸気系１０の吸気通路のうち、エアフロメータ１１よりも上流側の部分と、燃料タンク７５とに排気を供給する。このため、排気供給管８０は、その一端が酸素濃度低下手段７９に連通するとともに、他端が分岐して吸気系１０の吸気通路のうち、エアフロメータ１１よりも上流側の部分と燃料タンク７５とに連通している。燃料タンク７５に供給した排気は例えばバブリング溶解によって燃料に溶解させる。
【００３２】
実施例１で前述した通り、供給されたガスが空気の場合、酸素濃度低下手段７９の排気は酸素濃度の高いガスとなる。このためこのように構成された燃料供給システム７０Ｂでは、吸入空気と燃料の酸素濃度を高めることができ、これによりエンジン５０の各気筒５１により多くの酸素を供給することが可能になる。このため燃料供給システム７０Ｂは、燃料供給装置７０Ａと比較してさらにエンジン５０の燃焼改善を図ることができる。
【実施例３】
【００３３】
本実施例に係る燃料供給システム１００Ｃは、ＥＣＵ１Ａの代わりにＥＣＵ１Ｃを備えている点以外、燃料供給システム１００Ａと実質的に同一のものとなっている。またＥＣＵ１Ｃは、以下に示す燃料噴射制御手段をさらに備えている点以外、ＥＣＵ１Ａと実質的に同一のものとなっている。また燃料供給システム１００Ｃに関連する各構成は、燃料供給システム１００Ａの場合と同様となっている。このため本実施例では燃料供給システム１００Ｃについては図示省略する。なお、燃料噴射制御手段を備える燃料供給システムとしては、例えば燃料供給システム１００Ｃから酸素濃度低下手段７９を省略した燃料供給システムも実現可能である。
【００３４】
燃料噴射制御手段は、気泡を組成する気体の燃料への混入量（以下、単に混入ガス量と称す）に応じて、燃料噴射制御を行う。これは混入ガス量が変化すると、燃料容積に占めるガス容積も変化し、この結果、実際の燃料噴射量に過不足が発生するためである。なお、混入ガス量は例えば実施例１で前述したようにして算出した必要なガスの量によって求めることができる。
燃料噴射制御手段は燃料噴射制御として、具体的には燃料噴射量を制御する。また燃料噴射量を制御するにあたって、燃料噴射制御手段は燃料噴射弁７１を制御して、燃料噴射弁７１の開弁期間を変更することで燃料噴射量を制御する。
混入ガス量に応じて制御するにあたっては、燃料噴射制御手段はさらに具体的には混入ガス量が多い場合ほど、燃料噴射量が大きくなるように（すなわち、燃料噴射弁７１の開弁期間が長くなるように）燃料噴射弁７１を制御する。
燃料噴射弁７１を制御するにあたり、燃料噴射制御手段はさらに具体的には必要燃料噴射量を算出するとともに、算出した必要燃料噴射量を噴射するのに必要な開弁期間を、混入ガス量のほか、エンジン５０の運転状態（例えば回転数ＮＥや負荷）や、燃料噴射条件（例えば燃料噴射圧や燃料噴射時期）に応じて算出し、算出した開弁期間の間、開弁するように燃料噴射弁７１を制御する。すなわち、燃料噴射制御手段は混入ガス量のほか、エンジン５０の運転状態や燃料噴射条件にも応じて燃料噴射量を制御する。
【００３５】
次にＥＣＵ１Ｃの動作を図５に示すフローチャートを用いて説明する。ＥＣＵ１Ｃは必要燃料噴射量を算出する（ステップＳ２１）。このときエンジン５０の運転状態に応じた制御が行われることになる。続いてＥＣＵ１Ｃは混入ガス量や燃料噴射圧や燃料噴射時期に応じて、必要燃料噴射量を噴射するのに必要な開弁期間を算出する（ステップＳ２２）。ここで、必要な開弁期間を算出するにあたって、混入ガス量だけでなく、燃料噴射圧や燃料噴射時期に応じて開弁期間を算出するのは、このような燃料噴射条件が異なると燃料噴射量が異なってくるためである。この点、燃料噴射圧が異なる場合には燃料容積に占めるガス容積が異なってくるため、燃料噴射量が異なってくる。また、燃料噴射時期が異なる場合には筒内圧が異なってくるため、燃料噴射量が異なってくる。続いてＥＣＵ１Ｃは算出した開弁期間の間、開弁するように燃料噴射弁７１を制御する（ステップＳ２３）。
【００３６】
これにより、燃料にガスを混入させたことによって実際の燃料噴射量に過不足が発生し、この結果、エンジン５０の出力が不安定になるなど、エンジン５０の運転状態が悪化することを防止することができる。このため燃料供給システム１００Ｃは、燃料供給システム１００Ａと比較してさらにエンジン５０の運転状態の悪化を防止することができる。
【実施例４】
【００３７】
図６は本実施例に係る燃料供給システム１００Ｄをエンジン５０など関連する他の構成とともに模式的に示す図である。本実施例に係る燃料供給システム１００Ｄは、燃料供給装置７０Ａの代わりに燃料供給装置７０Ｄを備えている点以外、燃料供給システム１００Ａと実質的に同一のものとなっている。また燃料供給装置７０Ｄは、燃料フィルタ（異物除去手段に相当）９０をさらに備えている点以外、燃料供給装置７０Ａと実質的に同一のものとなっている。燃料フィルタ９０は、燃料供給管７３のうち、燃料ポンプ７４よりも下流側の部分に設けられており、さらに具体的にはコモンレール７２と燃料ポンプ７４との間の部分に設けられている。なお、異物除去手段を備える燃料供給システムとしては、例えば燃料供給システム１００Ｄから酸素濃度低下手段７９を省略した燃料供給システムも実現可能である。
【００３８】
このように構成された燃料供給システム１００Ｄでは、燃料に混入された気泡が燃料ポンプ７４の加圧によって溶解した後で、燃料が燃料フィルタ９０を流通することになる。このため燃料供給システム１００Ｄでは、燃料に混入された気泡同士が燃料フィルタ９０を流通する際に、合体してより大きな気泡に生成されることを防止することができ、以っていわゆるエアの噛み込みと同様な状態が燃料に発生することを防止できる。このため燃料供給システム１００Ｄは、燃料供給システム１００Ａと比較して、燃料ポンプ７４の摺動不良およびこれに応じたエンジン５０の運転状態の悪化や、摺動不良による燃料ポンプ７４の破損等が発生することをさらに防止することができる。
【００３９】
上述した実施例は本発明の好適な実施の例である。但し、これに限定されるものではなく、本発明の要旨を逸脱しない範囲内において種々変形実施可能である。
例えば本発明は燃料に混入させる気泡を組成する気体が酸素を多く含む気体である場合に効果的であることから、上述した実施例では、燃料に混入させる気泡を組成する気体に空気を適用した場合の例を示したが、燃料に混入させる気泡を組成する気体には、酸素を含む適宜の気体が適用されてよい。
【図面の簡単な説明】
【００４０】
【図１】燃料噴射システム１００Ａを模式的に示す図である。
【図２】ミキサ７６の構成を模式的に示す図である。
【図３】ＥＣＵ１Ａの動作をフローチャートで示す図である。
【図４】燃料噴射システム１００Ｂを模式的に示す図である。
【図５】ＥＣＵ１Ｃの動作をフローチャートで示す図である。
【図６】燃料噴射システム１００Ｄを模式的に示す図である。
【符号の説明】
【００４１】
１      ＥＣＵ
５０    エンジン
７０    燃料供給装置
７１    燃料噴射弁
７２    コモンレール
７３    燃料供給管
７４    燃料ポンプ
７５    燃料タンク
７６    ミキサ
７７    ガス供給管
７８    流量調整弁
７９    酸素濃度低下手段
８０    排気供給管
９０    燃料フィルタ
１００  エンジンの燃料供給システム
【図１】
2010112271.tif 000003
【図２】
2010112271.tif 000004
【図３】
2010112271.tif 000005
【図４】
2010112271.tif 000006
【図５】
2010112271.tif 000007
【図６】
2010112271.tif 000008